(57)【要約】【課題】複数の旗を掲揚できて経済的な旗支持具及び旗支持具セットを提供する。【解決手段】旗掲揚ポールＰに対して固定でき、縦方向に延びるポール固定部２１と、前記ポール固定部２１から突出して横方向に延びる旗支持棒２２と、前記旗支持棒２２に吊り下げられており、前記旗支持棒２２の下方に位置する支持対象の旗Ｆｄを挟むことのできるクリップ部２３と、前記旗支持棒２２の基端側下方に位置し、前記旗支持棒２２の下方に位置する支持対象の旗Ｆｄが有する結び紐Ｆ１を結ぶことのできる下方紐掛け部２４と、前記旗支持棒２２の基端側上方に位置し、前記旗支持棒２２の上方に位置する支持対象の旗Ｆｕが有する結び紐Ｆ１を結ぶことのできる上方紐掛け部２５と、を備える旗支持具２である。【選択図】図１
0003212506.tif 000002
【実用新案登録請求の範囲】
【請求項１】
旗掲揚ポールに対して固定でき、縦方向に延びるポール固定部と、
前記ポール固定部から突出して横方向に延びる旗支持棒と、
前記旗支持棒に吊り下げられており、前記旗支持棒の下方に位置する支持対象の旗を挟むことのできるクリップ部と、
前記旗支持棒の基端側下方に位置し、前記旗支持棒の下方に位置する支持対象の旗が有する結び紐を結ぶことのできる下方紐掛け部と、
前記旗支持棒の基端側上方に位置し、前記旗支持棒の上方に位置する支持対象の旗が有する結び紐を結ぶことのできる上方紐掛け部と、を備える旗支持具。
【請求項２】
前記旗支持棒は、基端が前記ポール固定部に固定された基端側棒と、前記基端側棒の先端側に設けられ、前記基端側棒に対して伸縮可能に設けられた先端側棒とを有する、請求項１に記載の旗支持具。
【請求項３】
前記クリップ部は、前記旗支持棒に吊り下げられた部分の幅寸法よりも、前記支持対象の旗を挟む部分の幅寸法の方が大きい、請求項１または２に記載の旗支持具。
【請求項４】
請求項１〜３のいずれかに記載の旗支持具と、
前記旗支持具の上方に設置され、前記旗支持棒の上方に位置する支持対象の旗を吊り下げる上側旗支持具と、
前記旗支持具の下方に設置され、前記旗支持棒の下方に位置する支持対象の旗が有する結び紐を結ぶことのできる下側旗支持具と、を備える旗支持具セット。
【請求項５】
旗掲揚ポールの上端部を覆うキャップ部を更に備える、請求項４に記載の旗支持具セット。
【考案の詳細な説明】
【技術分野】
【０００１】
本考案は、例えば工事現場にて旗を旗掲揚ポールに取り付ける際に用いる、旗支持具及び旗支持具セットに関するものである。
【背景技術】
【０００２】
種々の場所で国旗等の旗が掲揚される。旗は掲揚の際に旗掲揚ポールに取り付けられる。この取り付けに際し、旗掲揚ポールから直交するように延びる旗支持具が用いられることがある。この旗支持具は、旗の上端縁に沿うように配置される棒状の上側支持具と、旗の下方で旗の有する結び紐を結ぶための下側支持具とからなる。この旗支持具を用いると、旗が上側支持具に吊り下げられるので、無風時であっても旗が垂れ下がることなく掲揚できる。
【０００３】
ここで、例えば工事現場にて安全旗（緑十字旗）と共に社旗が掲揚されることがある。このように、１本の旗掲揚ポールに複数の旗が同時に掲揚される場合があった。
【考案の概要】
【考案が解決しようとする課題】
【０００４】
ところが、従来では旗１枚に対応して１セットの旗支持具が用いられていた。このため、複数の旗を掲揚する場合、複数セットの旗支持具を用いる必要があって不経済であった。
【０００５】
そこで本考案は、複数の旗を掲揚できて経済的な旗支持具及び旗支持具セットを提供することを課題とする。
【課題を解決するための手段】
【０００６】
本考案は、旗掲揚ポールに対して固定でき、縦方向に延びるポール固定部と、前記ポール固定部から突出して横方向に延びる旗支持棒と、前記旗支持棒に吊り下げられており、前記旗支持棒の下方に位置する支持対象の旗を挟むことのできるクリップ部と、前記旗支持棒の基端側下方に位置し、前記旗支持棒の下方に位置する支持対象の旗が有する結び紐を結ぶことのできる下方紐掛け部と、前記旗支持棒の基端側上方に位置し、前記旗支持棒の上方に位置する支持対象の旗が有する結び紐を結ぶことのできる上方紐掛け部と、を備える旗支持具である。
【０００７】
この構成によれば、旗支持棒の基端側下方に下方紐掛け部を備え、旗支持棒の基端側上方に上方紐掛け部を備えるので、１個の旗支持具で上下に隣接する２枚の旗を支持できる。
【０００８】
そして、前記旗支持棒は、基端が前記ポール固定部に固定された基端側棒と、前記基端側棒の先端側に設けられ、前記基端側棒に対して伸縮可能に設けられた先端側棒とを有するものとできる。
【０００９】
この構成によれば、旗支持棒を伸縮可能に構成できるので、掲揚する旗のサイズに合わせて旗支持棒を伸縮させることにより、種々のサイズの旗を違和感なく掲揚できる。
【００１０】
そして、前記クリップ部は、前記旗支持棒に吊り下げられた部分の幅寸法よりも、前記支持対象の旗を挟む部分の幅寸法の方が大きいものとできる。
【００１１】
この構成によれば、旗を挟む部分の面積を大きく取れるので、掲揚中に旗を損傷してしまう可能性を低減できる。
【００１２】
そして本考案は、前記旗支持具と、前記旗支持具の上方に設置され、前記旗支持棒の上方に位置する支持対象の旗を吊り下げる上側旗支持具と、前記旗支持具の下方に設置され、前記旗支持棒の下方に位置する支持対象の旗が有する結び紐を結ぶことのできる下側旗支持具と、を備える旗支持具セットである。
【００１３】
この構成によれば、複数の旗を上下に隣接させて掲揚することが容易にできる。
【００１４】
そして、前記旗支持具セットは、旗掲揚ポールの上端部を覆うキャップ部を更に備えるものとできる。
【００１５】
この構成によれば、キャップ部により、旗掲揚ポールの内部に雨水等が流入することを防止できる。
【考案の効果】
【００１６】
本考案は、１個の旗支持具で上下に隣接する２枚の旗を支持できることにより、複数の旗を掲揚できて経済的な旗支持具及び旗支持具セットを提供できる。
【図面の簡単な説明】
【００１７】
【図１】本考案の一実施形態に係る旗支持具セットの使用状態を示す正面図である。
【図２】前記旗支持具セットにおける中間旗支持具の一部を示す斜視図である。
【考案を実施するための形態】
【００１８】
次に、本考案につき、一実施形態を取り上げて説明を行う。なお、以下の説明における方向の表現は、図１に示された方向による。
【００１９】
本実施形態の旗支持具セット１は、２枚の旗Ｆ（Ｆｕ，Ｆｄ）を上下に隣接して掲揚した例である図１に示すように、中間旗支持具２、上側旗支持具３、下側旗支持具４、キャップ部５から構成されており、旗Ｆを掲揚するために設けられた旗掲揚ポールＰに対して、それぞれを固定して用いられる。旗掲揚ポールＰは通常の場合、地面から垂直に立ち上げられている。しかしこれ以外に、斜め方向に延びる旗掲揚ポールＰに対して本実施形態の旗支持具セット１を取り付けることも可能である。
【００２０】
まず、中間旗支持具２について説明する。これは、実用新案登録請求の範囲にて特定した「旗支持具」に相当する物品である。この中間旗支持具２は、ポール固定部２１、旗支持棒２２、クリップ部２３、下方紐掛け部２４、上方紐掛け部２５を備える。
【００２１】
ポール固定部２１は、旗掲揚ポールＰに対して固定できる部分であって、縦方向に延びる部分である。本実施形態では旗掲揚ポールＰの外径よりも大きい内径を有する丸パイプ材が用いられている。ポール固定部２１の側面には貫通穴（図示しない）が形成され、図２に示すように、この貫通穴の外側にナット２１１Ｎが溶接されている。このナット２１１Ｎに径外側からボルト２１１Ｂがねじ込まれることで、ボルト２１１Ｂの先端を旗掲揚ポールＰに圧接させることができる。このナット２１１Ｎ及びボルト２１１Ｂにより固定手段２１１が構成されている。この固定手段２１１により、ポール固定部２１を旗掲揚ポールＰに対して固定できる。本実施形態では、径方向に対向して固定手段２１１が設けられている。固定手段２１１が径方向に対向して位置することで、各固定手段２１１のボルト２１１Ｂをそれぞれナット２１１Ｎに締め込んでいくことにより、旗掲揚ポールＰに対してポール固定部２１が平行になるように固定できる。このため、ポール固定部２１を見栄えよく配置できる。本実施形態では、ポール固定部２１における下部の２箇所に固定手段２１１が設けられている。しかし、ポール固定部２１における固定手段２１１の位置及び数量は特に限定されず、例えば、旗支持棒２２よりも上方と下方との両方に固定手段２１１を設けることもできる。
【００２２】
旗支持棒２２は、ポール固定部２１から突出して横方向に延びる部分である。本実施形態では、ポール固定部２１から垂直方向に旗支持棒２２が突出している。ただしこれに限定されず、斜め方向に突出させることもできる。この旗支持棒２２は、基端がポール固定部２１に溶接固定された基端側棒２２１と、基端側棒２２１の先端側に設けられた先端側棒２２２とを有する。基端側棒２２１における基端部の手前側と奥側とには、図２に示すように、基端側棒２２１とポール固定部２１とに亘って補強板２２３が固定されている。このため、旗の荷重や、風を受けて旗Ｆが揺れた場合であっても基端側棒２２１が基端から折れてしまうことを防止できる。
【００２３】
基端側棒２２１としては中空の丸棒が用いられ、先端側棒２２２としては、基端側棒２２１の内径寸法よりも小さい外径寸法を有する中空または中実の丸棒が用いられている。これにより、先端側棒２２２の一部が基端側棒２２１の内部に収納されることで、基端側棒２２１からの先端側棒２２２の突出量を調整できる。このため、先端側棒２２２が基端側棒２２１に対して伸縮可能であって、旗支持棒２２の全長を変更できる。
【００２４】
旗支持棒２２の伸縮状態の固定は、例えば基端側棒２２１に複数の貫通穴を長手方向に間隔を空けて設けておき、先端側棒２２２の側面には出没可能な突起を設けておき、所定の貫通穴に突起を通すことにより行うことができる。このように旗支持棒２２を伸縮できることから、旗Ｆに対して旗支持棒２２が長過ぎたり短過ぎたりすることがなく、種々のサイズの旗Ｆを違和感なく掲揚できる。なお、先端側棒２２２は基端側棒２２１から取り外すことも可能であり、基端側棒２２１のみで旗Ｆを支持することもできる。
【００２５】
クリップ部２３は、旗支持棒２２に吊り下げられており、旗支持棒２２の下方に位置する支持対象の旗Ｆ、本実施形態では２枚の旗のうち下側の旗（以下「下側旗」）Ｆｄを挟むことのできる部分である。本実施形態では、図１に示すように、２個のクリップ部２３が長手方向に離れて設けられているが、数量や旗支持棒２２における位置は限定されない。各クリップ部２３は、図２に示すように、湾曲した形状の基部２３１が旗支持棒２２の外周面を取り巻いている。そして基部２３１の下方には下垂部２３２が延びており、下垂部２３２の更に下方には先端部２３３が形成されている。この先端部２３３で下側旗Ｆｄを挟むことができる。
【００２６】
先端部２３３を貫通するようにクリップ挟み具２３４が貫通している。クリップ挟み具２３４は、先端部２３３の上部において２組取り付けられている。ただし、クリップ挟み具２３４の数量は限定されるものではない。本実施形態のクリップ挟み具２３４は蝶ボルトと蝶ナットとの組み合わせが用いられており、両者を締め付けることで、下側旗Ｆｄの端部を挟んだ状態で、対向する先端部２３３の間隔を狭めていくことができ、これにより、クリップ部２３に下側旗Ｆｄを留めることができる。
【００２７】
先端部２３３の幅寸法は、基部２３１及び下垂部２３２の幅寸法よりも大きく形成されている。このような先端部２３３の形状により、先端部２３３の幅寸法が基部２３１及び下垂部２３２の幅寸法と同じである形状に比べ、旗Ｆ（下側旗Ｆｄ）を挟む部分の面積を大きく取れるので、掲揚中にクリップ部２３が挟む部分から旗Ｆが破れてしまい、旗Ｆを損傷してしまう可能性を低減できる。
【００２８】
下方紐掛け部２４は、旗支持棒２２の基端側下方に位置し、下側旗Ｆｄが有する結び紐Ｆ１を結ぶことのできる部分である。また、上方紐掛け部２５は、旗支持棒２２の基端側上方に位置し、２枚の旗のうち上側の旗（以下「上側旗」）Ｆｕが有する結び紐Ｆ１を結ぶことのできる部分である。各紐掛け部２４，２５は湾曲して形成されている。本実施形態の各紐掛け部２４，２５は、ポール固定部２１と基端側棒２２１とに沿って溶接された円環状のものである。なお、各紐掛け部２４，２５は湾曲した形状に限定されず、例えば直棒状に形成することもでき、形状は特に限定されるものではない。ただし、各紐掛け部２４，２５が湾曲した形状であると、例えば屈曲した形状に比べて結び紐Ｆ１に無理な力がかかりにくく、結び紐Ｆ１が切れてしまう可能性を低減できるため好ましい。
【００２９】
以上のように構成された中間旗支持具２では、旗支持棒２２の基端側下方に下方紐掛け部２４を備え、旗支持棒２２の基端側上方に上方紐掛け部２５を備えるので、１個の中間旗支持具２で上側旗Ｆｕと下側旗Ｆｄとを同時に支持できる。このため従来のように、上側旗Ｆｕ、下側旗Ｆｄのそれぞれのために別個の支持具を用意する必要がないので経済的である。また、上側旗Ｆｕ、下側旗Ｆｄのそれぞれのために別個の支持具を用いた構成に比べ、掲揚時の見栄えが良く掲揚の手間も低減できる。このように、本実施形態の中間旗支持具２は優れたものである。
【００３０】
次に、上側旗支持具３は、図１に示すように、前記中間旗支持具２の上方に設置され、上側旗Ｆｕを吊り下げることのできる物品である。図１に示すように、この上側旗支持具３は、ポール固定部３１、旗支持棒３２、クリップ部３３、紐掛け部３４を備える。この上側旗支持具３の基本的な構成は中間旗支持具２と同じである。このため、中間旗支持具２と異なる部分についてのみ以下説明する。また、中間旗支持具２と機能が共通する部材については同一の名称を用いている。
【００３１】
上側旗支持具３は、前記中間旗支持具２と同様にポール固定部３１と旗支持棒３２とを備えるが、上側旗支持具３では、中間旗支持具２に比べてポール固定部３１の上端寄りから旗支持棒３２が突出している。また、上側旗支持具３において、上側旗Ｆｕの結び紐Ｆ１を結ぶことのできる部分は、旗支持棒３２の基端側下方に位置する紐掛け部３４（中間旗支持具２における下方紐掛け部２４に対応）のみである。この紐掛け部３４は円環状であって、上側旗Ｆｕが有する結び紐Ｆ１を結ぶことができる。
【００３２】
次に、下側旗支持具４は、図１に示すように、前記中間旗支持具２の下方に設置され、下側旗Ｆｄが有する結び紐Ｆ１を結ぶことのできることのできる物品である。図１に示すように、この下側旗支持具４は、ポール固定部４１と紐掛け部４２とを備える。ポール固定部４１は中間旗支持具２におけるポール固定部２１と基本的に同じ構成である。紐掛け部４２は、ポール固定部４１に沿って溶接された円環状のものであって、下側旗Ｆｄが有する結び紐Ｆ１を結ぶことができる。
【００３３】
次に、キャップ部５は、旗掲揚ポールＰの上端部を覆うことのできる物品である。旗掲揚ポールＰに固定できるポール固定部５１と、ポール固定部５１の上端に形成され、ポール固定部５１よりも大径に形成された傘部５２とを一体的に備えている。このキャップ部５により、旗掲揚ポールＰの内部に雨水等が流入することを防止できる。
【００３４】
以上のように構成された旗支持具セット１を用いることにより、１個の中間旗支持具２で上下に隣接する２枚の旗Ｆｕ，Ｆｄを支持できる。このため、複数の旗を掲揚できて経済的である。
【００３５】
以上、本考案の一実施形態について説明したが、本考案は前記実施形態に限定されるものではなく、本考案の要旨を逸脱しない範囲内において種々の変更を加えることができる。
【００３６】
例えば、前記実施形態の旗支持具セット１を用いて、３枚以上の旗Ｆを上下に隣接して掲揚することもできる。この場合には、中間旗支持具２を２個以上用い、隣接する２枚の旗Ｆの間にそれぞれ中間旗支持具２を配置する。
【００３７】
また、前記実施形態において、クリップ部２３，３３以外は鋼材製であって表面にめっきが施されているものであった。しかし、材質は特に限定されるものではなく、例えばステンレス、アルミ合金、硬質合成樹脂等、種々の材質で形成できる。クリップ部２３，３３についても種々の材質で形成できる。
【００３８】
また、前記実施形態のポール固定部２１，３１，４１には丸パイプ材が用いられていたが、これに限定されず、例えば、半円筒状体を対向させたものであって、両者を固定するように形成されていてもよく、種々の形状とできる。また、固定手段２１１も前記実施形態のナット２１１Ｎとボルト２１１Ｂの組み合わせに限定されず、種々の構成とできる。
【符号の説明】
【００３９】
１          旗支持具セット
２          旗支持具、中間旗支持具
２１        ポール固定部
２２        旗支持棒
２２１      基端側棒
２２２      先端側棒
２３        クリップ部
２３１      基部
２３２      下垂部
２３３      先端部
２４        下方紐掛け部
２５        上方紐掛け部
３          上側旗支持具
４          下側旗支持具
５          キャップ部
Ｐ          旗掲揚ポール
Ｆ          旗
Ｆｕ        上側旗
Ｆｄ        下側旗
Ｆ１        結び紐
【図１】
0003212506.tif 000003
【図２】
0003212506.tif 000004